(57)【要約】【課題】  日常生活の中で、所持頻度が極めて高い、携帯端末装置を活用して、有毒生物に対する危険回避・応急処置・緊急連絡システムを提供することを目的とする。【解決手段】  本発明の有毒生物対策携帯電話は、有毒生物による人体への咬傷から毒素が混入された体液を分析しその組成データを取得する体液吸引分析ユニットを有し、  前記組成データの分析をサーバに問い合わせ、前記体液が有毒生物のものであると判定された場合は、組成データに一致する咬傷被害生物情報を、前記有毒生物対策携帯電話のユーザへ通知する。【選択図】      図１
2012070171.tif 000002
【特許請求の範囲】
【請求項１】
有毒生物による人体への咬傷から毒素が混入された体液を分析しその組成データを取得する体液吸引分析ユニットを有する有毒生物対策携帯端末と、
有毒生物情報を保持するデータサーバと、
を備え、
前記有毒生物対策携帯端末は、前記組成データの分析を前記データサーバに問い合わせ、
前記データサーバは、前記有毒生物対策携帯端末より受信した前記組成データの分析を行い、前記体液が有毒生物のものであると判定された場合に、前記組成データに一致する咬傷被害生物情報を、前記有毒生物対策携帯端末へ送信し、
前記有毒生物対策携帯端末は、前記組成データに対応する咬傷被害生物情報を、前記有毒生物対策携帯端末の画面に表示する、
ことを特徴とする有毒生物対策携帯端末システム。
【請求項２】
前記データサーバは救急救命センタ情報を更に含み、
前記有毒生物対策携帯端末は、有毒生物対策携帯端末の現在地の位置情報及び気圧データを前記データサーバに送信し、
前記データサーバは、前記体液が有毒生物のものであると判定された場合に、前記組成データに一致する咬傷被害生物情報、及びユーザの情報を現在地の位置データ及び気圧データから検索された現在地の最寄りの救急救命センタに送信する
ことを特徴とする請求項１記載の有毒生物対策携帯端末システム。
【請求項３】
有毒生物が嫌う音や光を発生させて有毒生物の接近を予防する有毒生物接近予防手段を更に有し、
前記組成データに一致する咬傷被害生物情報を基に咬傷被害にあった有毒生物が嫌う音や光を前記有毒生物接近予防手段から発生させることを特徴とする請求項１又は請求項２記載の有毒生物対策携帯端末システム。
【請求項４】
前記有毒生物対策携帯端末は現在地の位置データを取得するＧＰＳ受信部を有し、
前記現在地の位置データはＧＰＳ受信部で取得したものであることを特徴とする請求項１乃至請求項３のいずれかに記載の有毒生物対策携帯端末システム。
【請求項５】
前記有毒生物対策携帯端末の現在地の気圧データを取得する気圧測定部を有し、前記現在地の気圧データは前記気圧測定部で取得したものであることを特徴とする請求項１乃至請求項４いずれかに記載の有毒生物対策携帯端末システム。
【請求項６】
有毒生物による人体への咬傷から毒素が混入された体液を分析しその組成データを取得する体液吸引分析工程と、
有毒生物情報を保持する保持工程と、
前記組成データの分析をデータサーバに問い合わせ、前記データサーバは、前記有毒生物対策携帯端末より受信した前記組成データの分析を行い、前記体液が有毒生物のものであると判定された場合に、前記組成データに一致する咬傷被害生物情報を、有毒生物対策携帯端末へ送信する工程と、
前記有毒生物対策携帯端末の画面に、前記組成データに対応する咬傷被害生物情報を表示させる工程と、
を有することを特徴とする携帯端末を活用した有毒生物対策方法。
【請求項７】
前記データサーバは救急救命センタ情報を更に含み、
有毒生物対策携帯端末の現在地の位置情報及び気圧データを前記データサーバに送信する工程と、
前記データサーバは、前記体液が有毒生物のものであると判定された場合に、前記組成データに一致する咬傷被害生物情報、及びユーザの情報を現在地の位置データ及び気圧データから検索された現在地の最寄りの救急救命センタに送信する工程と、
を更に有することを特徴とする請求項６記載の携帯端末を活用した有毒生物対策方法。
【請求項８】
前記組成データに一致する咬傷被害生物情報を基に咬傷被害にあった有毒生物が嫌う音や光を発生させて有毒生物の接近を予防する有毒生物接近予防工程
を更に有することを特徴とする請求項６又は請求項７記載の携帯端末を活用した有毒生物対策方法。
【発明の詳細な説明】
【技術分野】
【０００１】
この発明は、携帯端末装置等の通信装置を活用した有毒生物対策携帯端末システムに関する。
【背景技術】
【０００２】
ハイキングやトレッキング、登山などのレジャーはもとより、動植物の実態調査や地質観測、環境調査等、屋外での活動においては、ハチ、ヘビ、クマ等様々な危険を孕む有害生物等との遭遇のリスクがある。危険な有害生物の中にはまだ余り存在の知られていないものもあり、見慣れない動植物にも注意をする必要がある。
【０００３】
また、この様な有害動物等の中には、屋内にまで侵入することを躊躇わないものもある。従ってこの様な有害動物等が特に多く生息する地域に移動、滞在する際には、絶えずこの様なリスクから身を守るための安全対策を十分に行なっていく必要がある。
【０００４】
そしてこの様な有害生物の中でも有毒なものによる咬傷、例えば毒ヘビ等に噛まれた場合等は、その傷が例え小さなものでも速やかに適切な処置を行わないと生命の危険すらありうる。
近年、生態調査や技術進歩により、このような有毒生物の生態や咬傷から注入されるその毒素が人体に及ぼす影響、毒素を取り込んだ場合の処置方法が明らかになり、その情報は書物やインターネットなどで調べることによって入手可能となってきている。
【０００５】
特許文献１には関連する技術として、検出ユニットによってねずみや昆虫等の有害生物あるいは有害生物の痕跡を検出し、所定の条件により警報を発する等を行う有害生物管理システムが開示されている。
【先行技術文献】
【特許文献】
【０００６】
【特許文献１】特表２００７−５２３６１３号公報
【発明の概要】
【発明が解決しようとする課題】
【０００７】
しかしながら、特許文献１では有害生物が発生したときには警報等がなされるが、実際に人体に対する咬傷被害が発生した場合に対応するものではない。
【０００８】
屋外を通行するユーザは自らが行う室内外での活動で有毒生物との遭遇することや咬傷被害を受けることを想定していない場合も多い。そのため、有毒生物の生態や咬傷から注入されるその毒素が人体に及ぼす影響、毒素を取り込んだ場合の処置方法の知識を備えておらず、人体への咬傷被害を予防、軽減出来ず、人体への大きな被害となりうる。
【０００９】
また、もし、ユーザが上述のようにインターネット等で入手した情報をもとに、室内外での活動中に起こる有毒生物との遭遇の際、人体への咬傷被害を予防、軽減するために事前準備をした場合には次のような問題が考えられる。即ち、生物図鑑、発音機や発光機、集臭機、通信機、ＧＰＳ(Global Positioning System)受信機、ポイズンリムーバーなど多数の機器を携行する必要があり、かつ、それぞれの機器に最適な設定を行う必要がある。特にポイズンリムーバーの使用などの医療行為は処置を誤ると却って事態を悪化させる恐れもあり、その適切な対応は専門知識を有しない一般人には必ずしも容易なことではない。
【００１０】
本発明は上記課題を解決すべく、日常生活の中で、所持頻度が極めて高い、携帯端末装置を活用して、有毒生物に対する有毒生物対策システムを提供することを目的とする。 
【課題を解決するための手段】
【００１１】
本発明の有毒生物対策携帯端末は、
有毒生物による人体への咬傷から毒素が混入された体液を分析しその組成データを取得する体液吸引分析ユニットを有する有毒生物対策携帯端末と、
有毒生物情報を保持するデータサーバと、
を備え、
前記有毒生物対策携帯端末は、前記組成データの分析を前記データサーバに問い合わせ、
前記データサーバは、前記有毒生物対策携帯端末より受信した前記組成データの分析を行い、前記体液が有毒生物のものであると判定された場合に、前記組成データに一致する咬傷被害生物情報を、前記有毒生物対策携帯端末へ送信し、
前記有毒生物対策携帯端末は、前記組成データに対応する咬傷被害生物情報を、前記有毒生物対策携帯端末の画面に表示する。
【００１２】
本発明の携帯端末を活用した有毒生物対策方法は、
有毒生物による人体への咬傷から毒素が混入された体液を分析しその組成データを取得する体液吸引分析工程と、
有毒生物情報を保持する保持工程と、
前記組成データの分析をデータサーバに問い合わせ、前記データサーバは、前記有毒生物対策携帯端末より受信した前記組成データの分析を行い、前記体液が有毒生物のものであると判定された場合に、前記組成データに一致する咬傷被害生物情報を、有毒生物対策携帯端末へ送信する工程と、
前記有毒生物対策携帯端末の画面に、前記組成データに対応する咬傷被害生物情報を表示させる工程と、
を有する。
【発明の効果】
【００１３】
上記に説明したように、本発明によれば、上述の構成により、室内外での活動中、有毒生物による咬傷被害に際し対応する有毒生物の情報を、有毒生物対策携帯端末の画面に表示し、室内外での安全な活動を可能とする有毒生物対策システムを提供することができる。
【図面の簡単な説明】
【００１４】
【図１】第１の実施形態の携帯端末装置を活用した有毒生物対策システムを説明する図である。
【図２】第１の実施形態の全体シーケンスを示すフローチャートである。
【図３】第１の実施形態の全体シーケンスの一部処理の開始から終了までのシーケンスを示すフローチャートである。
【図４】第１の実施形態の全体シーケンスの一部処理の開始から終了までのシーケンスを示すフローチャートである。
【図５】有毒生物対策システムを起動させた時の携帯端末装置の操作画面を示す図である。
【図６】有毒生物対策システムを起動させた携帯端末装置のモード選択操作画面を示す図である。
【図７】携帯端末装置の画面例である。
【図８】携帯端末装置の画面例である。
【図９】携帯端末装置の画面例である。
【図１０】携帯端末装置の画面例である。
【図１１】携帯端末装置の画面例である。
【図１２】携帯端末装置の画面例である。
【図１３】第２の実施形態における、有毒生物対策携帯電話の構成を示す図である。
【発明を実施するための形態】
【００１５】
（第１の実施形態）
本発明の実施の形態について図面を参照して詳細に説明する。
【００１６】
図１は第１の実施形態の携帯端末装置を活用した有毒生物対策システムの説明図である。
【００１７】
図1を参照すると、本実施形態は、ユーザに所持される携帯端末装置１００と、データサーバ２００と、最寄りの救急救命センタ３００から構成されている。これらの携帯端末装置１００とデータサーバ２００と最寄りの救急救命センタ３００は、ネットワーク４００を介して相互に接続され、情報を送受信する機能を備える。
【００１８】
ユーザに所持される携帯端末装置１００は、ディスプレイとバイブレーション機能を有する携帯端末制御部１０１と、ネットワーク接続する携帯電話機能部１０２とを含む。
【００１９】
更に携帯端末装置１００は、携帯端末装置１００の現在地の位置データを受信するＧＰＳ受信部１０３と、携帯端末装置１００周辺の気圧を測定し気圧データを取得する気圧測定部１０４とを含む。更に携帯端末装置１００は、カメラ撮影により有毒生物の形跡（姿形や足跡等）の画像データを取得するカメラ部１０５を含む。
【００２０】
更に携帯端末装置１００は、携帯端末装置１００周辺の臭気を測定し臭気データを取得する集臭部１０８と、携帯端末装置１００周辺の音波を測定し音声データデータ化するマイク部１０９とを含む。集臭部１０８はある種の有毒生物（昆虫、爬虫類等）が発する臭い物質を検出し、その濃度を測定しデータ化して出力するものである。
【００２１】
これらＧＰＳ受信部１０３、気圧測定部１０４、カメラ部１０５、集臭部１０８、マイク部１０９は周辺状態取得手段を構成するものである。
【００２２】
更に携帯端末装置１００は、発光するＬＥＤ部１０６と、発音するスピーカー部１０７とを含む。これらＬＥＤ部１０６とスピーカー部１０７は有毒生物接近予防手段を構成する。
【００２３】
更に携帯端末装置１００には、USB接続により取り外し可能な体液吸引分析ユニット１１０が接続される。体液吸引分析ユニット１１０は、体液吸引分析ユニット本体１１１と、有毒生物による人体への咬傷から毒素が混入された体液を抽出する体液吸引部１１２と、毒素が混入された体液を分析しその組成データを取得する体液分析部１１３から成る。
【００２４】
携帯端末装置１００は、体液吸引分析ユニット１１０で測定されたデータをネットワーク４００を介してデータサーバ２００に送信する機能を有している。更に携帯端末装置１００は、現在地の位置データと気圧データをネットワーク４００を介してデータサーバ２００に送信する機能を有している。
【００２５】
携帯端末装置１００は、ネットワーク４００を介してデータサーバ２００からユーザ通知情報を受信し、ユーザ通知情報をディスプレイに表示する機能を有している。更に携帯端末装置１００は、バイブレーション、ＬＥＤ部１０６の発光、スピーカー部１０７の発音によって、ユーザにユーザ通知情報の確認を促す機能と、ユーザ通知情報から有毒生物が嫌う音や光を発生させる機能を有している。
【００２６】
ユーザ通知情報は、携帯端末装置１００を所持しているユーザの現在地に生息している有毒生物の情報、ユーザに接近している可能性のある有毒生物の情報を含んでいる。更にユーザ通知情報は、ユーザがデータサーバ２００に送信した生物の形跡の画像データに対する有毒生物判定結果の情報を含んでいる。更に、ユーザ通知情報は、携帯端末装置１００から受信した組成データに一致する咬傷被害生物情報、ユーザの最寄りの救急救命センタに関する情報を含んでいる。
【００２７】
有毒生物の情報と咬傷被害生物情報、生物の形跡の画像データの有毒生物判定結果は、生物名称、姿形、動作音、鳴き声、形跡、生息地、嫌いな音や光、遭遇時の対応、咬傷被害の症状、咬傷被害を受けた場合の対応などの情報である。
【００２８】
最寄りの救急救命センタ情報は、当該救急救命センタの電話番号、建物の外観、アクセスマップなどの情報である。
【００２９】
データサーバ２００は全国各地に生息する有毒生物に関する情報、有毒生物が分泌する毒素の組成データ及び全国各地の救急救命センタに関する情報を保持する機能を有している。また、携帯端末装置１００より受信する画像データ、臭気データ、音声データから、その現在地に生息する有毒生物の形跡データが含まれていないかを分析、監視する機能を有している。
【００３０】
更にデータサーバ２００は、携帯端末装置１００に対して、ユーザの現在地に生息している有毒生物の情報を送信する機能を有する。更にデータサーバ２００は、携帯端末装置１００より受信する画像データ、臭気データ、音声データから、有毒生物の形跡データが認められた場合は、携帯端末装置１００に対して、ユーザに接近している有毒生物の情報を送信する機能を有する。例えばカメラ撮影したある生物の外観の画像データを、その携帯端末装置１００の位置情報と共に送信したとする。データサーバ２００では画像データを分析し有毒生物を推定し、更に位置情報と照合し、その地域に生息する可能性のある有毒生物と一致すればその結果として有毒生物の情報を携帯端末装置１００に対して送信する。
【００３１】
更にデータサーバ２００は、携帯端末装置１００より受信した組成データに一致する咬傷被害生物情報を送信する機能と、救急救命センタ３００にユーザ情報を送信する機能を有する。
【００３２】
ユーザ情報は、ユーザの現在地、ユーザに咬傷被害を与えた有毒生物、咬傷被害発生場所、咬傷被害発生時刻、ユーザの電話番号などの情報である。
【００３３】
救急救命センタ３００は、データサーバ２００より受信したユーザ情報をもとに、ユーザの所持する携帯端末装置１００に安否確認連絡を行う機能を備える。
次に図２〜１２を参照して本実施形態の動作について詳細に説明する。
【００３４】
図２が本実施形態の全体シーケンスである。また、図３、図４は、全体シーケンスの一部処理の開始から終了までのシーケンスである。
【００３５】
まず、携帯端末装置１００はユーザの操作に基づき、ディスプレイに図５を表示させ、有毒生物対策システムを起動し、ディスプレイに図６を表示させ、モードの選択をユーザに促す (ステップＳ１)。なお、ここで起動した有毒生物対策システムはユーザ操作により任意のタイミングで終了することが出来、同じく、選択したモードについてもユーザ操作により任意のタイミングで設定変更することが出来ることとする。
【００３６】
モード選択後、携帯端末装置１００は、どのモードが作動中であるかの確認を行う。(ステップＳ２)。危険回避モードが作動中であると判断された場合は、危険回避処理(ステップＳ３)に移行する。応急処置、事後対応モードが作動中であると判断された場合は、応急処置、事後対応処理(ステップＳ４)に移行する。
【００３７】
ステップＳ３または、ステップＳ４終了後、携帯端末装置１００は、有毒生物対策システムが作動中であるかの確認を行う (ステップＳ５)。有毒生物対策システムが作動中であると判断された場合は、ステップＳ２に移行する。有毒生物対策システムが作動中でなければ、処理を終了する。
【００３８】
次に、ステップＳ３に移行した場合について説明する。
ステップＳ３に移行後、携帯端末装置１００は、データサーバ２００へ各種データを送信する(ステップＳ１１)。
【００３９】
データサーバ２００は、携帯端末装置１００より受信した各種データを分析する(ステップＳ１２)。データサーバ２００での分析は、まず、携帯端末装置１００の現在地の位置データと気圧データから、地図情報などと照合し、ユーザの現在地を特定する。なお気圧データは高層ビルの上下や断崖絶壁の上下等、地図上ではほぼ同一と示される地点を、気圧をもって現在地の高度を識別する目的に使用される。次に、受信した周辺の臭気のデータと、周辺の音波のデータに、ユーザの現在地に生息している有毒生物の形跡についてのデータが含まれていないかを分析、監視する。
【００４０】
そして、携帯端末装置１００へ、ユーザに通知すべき、ユーザの現在地に生息している可能性のある有毒生物の情報を送信する (ステップＳ１３) 。
【００４１】
また、あるユーザが有毒生物による咬傷被害に遭った場合、周辺にいる他のユーザの携帯端末装置１００に、接近している有毒生物の情報を送信する。これにより、他のユーザは有毒生物の存在を知ることができ、有毒生物による咬傷被害からの危険回避行動を行うことができる。
【００４２】
携帯端末装置１００は、データサーバ２００より受信したユーザの現在地に生息している有毒生物の情報と有毒生物の嫌う音や光を発生させる機能を起動するか否かの選択をディスプレイに表示(図７)する。携帯端末装置１００は、バイブレーション、ＬＥＤ部１０６の発光、スピーカー部１０７の発音によって選択画面が表示されていることをユーザに通知する。これに対しユーザは、有毒生物の情報の確認を行い、有毒生物が嫌う音や光を発生する機能を起動するか否かの選択を行う(ステップＳ１４)。
【００４３】
なお、ユーザは、有毒生物の嫌う音や光を発生させる機能をユーザ操作により任意のタイミングで終了出来ることとする。また、複数の有毒生物が生息する場合は、有毒生物の嫌う音や光を一定間隔で各有毒生物向けに自動で切り替えて発生させる。これにより、ユーザの有毒生物による咬傷被害から危険回避が行える。
【００４４】
また、ステップＳ３実行中に、有毒生物へ接近した場合について記述する。
【００４５】
ステップＳ１２にて、データサーバ２００は、携帯端末装置１００より受信する各種データのいずれかから、有毒生物の形跡が認められた場合は、ステップＳ１３にて、携帯端末装置１００へ、ユーザに接近している有毒生物の情報を送信する。
【００４６】
ステップＳ１４にて、携帯端末装置１００は、データサーバ２００より受信した、ユーザに接近している有毒生物の情報と有毒生物の嫌う音や光を発生させる機能を起動するか否かの選択をディスプレイに表示(図８) する。携帯端末装置１００は、バイブレーション、ＬＥＤ部１０６の発光、スピーカー部１０７の発音によって選択画面が表示されていることをユーザに通知する。これに対しユーザは、有毒生物の情報の確認と有毒生物の嫌う音や光の発生機能の起動をするか否かの選択を行う。これにより、ユーザの有毒生物による咬傷被害から危険回避が行える。
【００４７】
また、ステップＳ３実行中に、ユーザがなんらかの生物の形跡に遭遇し、ユーザが携帯端末装置１００のカメラ部１０５を用いて、生物の形跡を撮影した場合について記述する。
【００４８】
ステップＳ１１にて、生物の形跡の画像データをデータサーバ２００に送信することで、ステップＳ１２にて、データサーバ２００は受信した画像データを分析し、ステップＳ１３にて、生物の形跡の画像データに基づき有毒生物であるか否かを判定した結果を送信する。
【００４９】
ステップＳ１４にて、携帯端末装置１００は、データサーバ２００より受信した、生物の形跡の画像データより判定された有毒生物の情報と、その有毒生物の嫌う音や光を発生させる機能を起動するか否かの選択をディスプレイに表示(図９) する。携帯端末装置１００は、バイブレーション、ＬＥＤ部１０６の発光、スピーカー部１０７の発音によってユーザにその旨を通知する。ユーザは、受信した有毒生物の情報の確認を行い、同時に有毒生物の嫌う音や光を発生する機能の起動をするか否かの選択を行う。これにより、ユーザの有毒生物による咬傷被害から危険回避が行える。
【００５０】
最後に、ステップＳ４に移行した場合について記載する。
【００５１】
ユーザは、携帯端末装置１００に、体液吸引分析ユニット１１０をUSB接続し、体液吸引分析ユニット１１０の体液吸引部１１２を人体の咬傷部に吸着し、毒素吸引を行う (ステップＳ２１) 。これは所謂ポイズンリムーバーの役割を果たし、咬傷部よりより毒素を迅速に吸引し除去することにより、毒素が人体へ与える被害を軽減することが期待出来る。また、携帯端末装置１００のＬＥＤ部１０６を発光させることで、夜間や暗闇でも迅速に毒素吸引が可能である。
【００５２】
携帯端末装置１００は、吸引した体液を体液分析部１１３で分析し、体液の組成データをデータサーバ２００に送信する(ステップＳ２２)。体液分析部１１３は有毒生物が分泌する毒素の組成が有毒生物の種類により異なることを利用して（例えば、コブラは神経毒が主体でマムシは出血・筋肉毒が主体等）特定の成分を検出しその組成構成比等のデータを出力するものである。
【００５３】
データサーバ２００は、携帯端末装置１００より受信した組成データの分析を更に詳しく行う (ステップＳ２３) 。即ち、受信した組成データとデータサーバ２００が保有する有毒生物毎の毒素の組成データとの照合を行い、一致する組成データに対応する有毒生物の情報があるかを検索する。
【００５４】
データサーバ２００は、前記検索の結果、組成データに一致する咬傷被害生物（有毒生物）情報があればそれを携帯端末装置１００へ送信する (ステップＳ２４) 。
【００５５】
携帯端末装置１００は、データサーバ２００より受信した、組成データに一致する咬傷被害を受けた有毒生物の情報を表示し、その有毒生物の嫌う音や光を発生させる機能を起動するか否かの選択をディスプレイに表示(図１０) する。携帯端末装置１００は、バイブレーション、ＬＥＤ部１０６の発光、スピーカー部１０７の発音によって選択画面が表示されていることをユーザに通知する。これに対しユーザは、組成データに一致する咬傷被害生物情報の確認と有毒生物の嫌う音や光を発生する機能を起動するか否かの選択を行う(ステップＳ２５)。これにより、ユーザは生物による咬傷被害に対する適切な対応と、危険回避が行える。
【００５６】
なお、ステップＳ２４にてデータサーバ２００は、組成データに一致する咬傷被害生物情報から、医療機関での処置が必要と判断された場合、ステップＳ２５にて、組成データに一致する咬傷被害生物情報を携帯端末装置１００に送信する。更に、データサーバ２００は受信した現在地の位置データ及び気圧データから検索された最寄りの救急救命センタの情報を携帯端末装置１００に送信する。ステップS２５にて携帯端末装置１００は、データサーバ２００より受信した、組成データに一致する咬傷被害を受けた有毒生物の情報を表示し、その有毒生物の嫌う音や光を発生させる機能を起動するか否かの選択をディスプレイに表示(図１０) する。携帯端末装置１００は、バイブレーション、ＬＥＤ部１０６の発光、スピーカー部１０７の発音によって選択画面が表示されていることをユーザに通知する。これに対しユーザは、組成データに一致する咬傷被害生物情報の確認と有毒生物の嫌う音や光を発生させる機能を起動するか否かの選択を行ったのち、最寄りの救急救命センタ情報を表示(図１１)し、最寄りの救急救命センタへの移動を促す。これにより、ユーザは生物による咬傷被害での人体への甚大な被害から早期回復が行える。
【００５７】
データサーバ２００は、組成データに一致する咬傷被害を受けた有毒生物の情報から、人体へ甚大な被害を与える有毒生物であるか否かを判断する(ステップＳ２６)。
【００５８】
データサーバ２００は、組成データに一致する咬傷被害を受けた有毒生物の情報から、人体へ甚大な被害を与える有毒生物であると判定された場合（ステップＳ２６のＹＥＳ）は、次のように動作する。即ち、データサーバ２００は、最寄りの救急救命センタ３００にユーザ情報(図１２)を送信することで、迅速な救急救命要請を行う(ステップＳ２７)。
【００５９】
一方、データサーバ２００は、組成データに一致する咬傷被害を受けた有毒生物の情報から、人体へ甚大な被害を与える有毒生物ではないと判定された場合（ステップＳ２６のＮＯ）は、応急処置、事後対応処理を終了する。
【００６０】
最寄りの救急救命センタ３００はデータサーバ２００より受信したユーザ情報を用いてユーザに安否確認連絡を行う(ステップＳ２８)。
【００６１】
以上のように、携帯電話端末を用いた有毒生物に対する危険回避・応急処置・緊急連絡を行うことで、室内外での活動中に起こる有毒生物、有毒生物との遭遇の際、有毒生物による人体への咬傷被害等の事故を予防、軽減する効果がある。
（第２の実施形態）
次に、本発明を実施するための第２の実施形態について説明する。
【００６２】
図１３は本発明の第２の実施形態の有毒生物対策携帯端末システムである。
【００６３】
第２の実施形態の有毒生物対策携帯端末システムは有毒生物対策携帯端末１３０１と、有毒生物情報を保持するデータサーバ１３１０と、を含む。更に、有毒生物対策携帯端末１３０１は有毒生物による人体への咬傷から毒素が混入された体液を分析しその組成データを取得する体液吸引分析ユニット１３０２を含む。
【００６４】
前記有毒生物対策携帯端末１３０１は、前記組成データの分析を前記データサーバ１３１０に問い合わせる。
【００６５】
前記データサーバ１３１０は、前記有毒生物対策携帯端末より受信した前記組成データの分析を行い、前記体液が有毒生物のものであると判定された場合に、前記組成データに一致する咬傷被害生物情報を、前記有毒生物対策携帯端末１３０１へ送信する。
【００６６】
その後、前記有毒生物対策携帯端末１３０１は、前記組成データに対応する咬傷被害生物情報を、前記有毒生物対策携帯端末１３０１の画面に表示する。
【００６７】
以上説明した第２の実施形態では、上述したような構成により、室内外での活動中に起こる有毒生物との遭遇の際、有毒生物による咬傷被害対応として最寄りの救急救命センタへ連絡と案内を行い、室内外での安全な活動を可能とする携帯端末を提供することができる。
【００６８】
なお、ここまで説明した各実施の形態では、専用の装置を想定したが、次のようなものでもよい。即ち例えば各種データ処理を行うパーソナルコンピュータ装置に、本例に相当する処理を行うボードやカードなどを装着し、各処理を、コンピュータ装置側で実行させる。このようにして、その処理を実行するソフトウェアをパーソナルコンピュータ装置に実装させて実行する構成としても良い。
【００６９】
そのパーソナルコンピュータ装置などのデータ処理装置に実装されるプログラムについては、光ディスク，メモリカードなどの各種記録（記憶）媒体を介して配付しても良く、或いはインターネットなどの通信手段を介して配付しても良い。
【符号の説明】
【００７０】
１００  携帯端末装置
１０１  携帯端末制御部
１０２  携帯電話機能部
１０３  ＧＰＳ受信部
１０４  気圧測定部
１０５  カメラ部
１０６  ＬＥＤ部
１０７  スピーカー部
１０８  集臭部
１０９  マイク部
１１０  体液吸引分析ユニット
【図１】
2012070171.tif 000003
【図２】
2012070171.tif 000004
【図３】
2012070171.tif 000005
【図４】
2012070171.tif 000006
【図５】
2012070171.tif 000007
【図６】
2012070171.tif 000008
【図７】
2012070171.tif 000009
【図８】
2012070171.tif 000010
【図９】
2012070171.tif 000011
【図１０】
2012070171.tif 000012
【図１１】
2012070171.tif 000013
【図１２】
2012070171.tif 000014
【図１３】
2012070171.tif 000015